(57)【要約】【課題】部品にバラツキが生じても、室外熱交換器の着霜を的確に検知することができる車両用空気調和装置を提供する。【解決手段】室外熱交換器７の冷媒蒸発温度ＴＸＯと、無着霜時における当該室外熱交換器の冷媒蒸発温度ＴＸＯｂａｓｅとに基づき、この室外熱交換器への着霜を判定する。起動初期において、無着霜時における室外熱交換器の冷媒蒸発温度ＴＸＯｂａｓｅと室外熱交換器の冷媒蒸発温度ＴＸＯとの間に、着霜を検知しない側への誤差ＬＲＮがある場合、この誤差ＬＲＮを減少させ、若しくは、打ち消す方向に冷媒蒸発温度ＴＸＯｂａｓｅを補正する。【選択図】図１
2018079721.tif 000002
【特許請求の範囲】
【請求項１】
冷媒を圧縮する圧縮機と、
車室内に供給する空気が流通する空気流通路と、
冷媒を放熱させて前記空気流通路から前記車室内に供給する空気を加熱するための放熱器と、
前記車室外に設けられて冷媒を吸熱させる室外熱交換器と、
制御装置とを備え、
該制御装置により、少なくとも前記圧縮機から吐出された冷媒を前記放熱器にて放熱させ、放熱した当該冷媒を減圧した後、前記室外熱交換器にて吸熱させて車室内を暖房し、
前記室外熱交換器の冷媒蒸発温度ＴＸＯと、無着霜時における当該室外熱交換器の冷媒蒸発温度ＴＸＯｂａｓｅとに基づき、該室外熱交換器への着霜を判定する車両用空気調和装置において、
前記制御装置は、環境条件、及び／又は、運転状況を示す指標に基づいて前記無着霜時における室外熱交換器の冷媒蒸発温度ＴＸＯｂａｓｅを推定すると共に、
起動初期において、前記無着霜時における室外熱交換器の冷媒蒸発温度ＴＸＯｂａｓｅと前記室外熱交換器の冷媒蒸発温度ＴＸＯとの間に、着霜を検知しない側への誤差ＬＲＮがある場合、該誤差ＬＲＮを減少させ、若しくは、打ち消す方向に前記無着霜時における室外熱交換器の冷媒蒸発温度ＴＸＯｂａｓｅを補正することを特徴とする車両用空気調和装置。
【請求項２】
冷媒を圧縮する圧縮機と、
車室内に供給する空気が流通する空気流通路と、
冷媒を放熱させて前記空気流通路から前記車室内に供給する空気を加熱するための放熱器と、
前記車室外に設けられて冷媒を吸熱させる室外熱交換器と、
制御装置とを備え、
該制御装置により、少なくとも前記圧縮機から吐出された冷媒を前記放熱器にて放熱させ、放熱した当該冷媒を減圧した後、前記室外熱交換器にて吸熱させて車室内を暖房し、
前記室外熱交換器の冷媒蒸発圧力ＰＸＯと、無着霜時における当該室外熱交換器の冷媒蒸発圧力ＰＸＯｂａｓｅとに基づき、該室外熱交換器への着霜を判定する車両用空気調和装置において、
前記制御装置は、環境条件、及び／又は、運転状況を示す指標に基づいて前記無着霜時における室外熱交換器の冷媒蒸発圧力ＰＸＯｂａｓｅを推定すると共に、
起動初期において、前記無着霜時における室外熱交換器の冷媒蒸発圧力ＰＸＯｂａｓｅと前記室外熱交換器の冷媒蒸発圧力ＰＸＯとの間に、着霜を検知しない側への誤差ＬＲＮがある場合、該誤差ＬＲＮを減少させ、若しくは、打ち消す方向に前記無着霜時における室外熱交換器の冷媒蒸発圧力ＰＸＯｂａｓｅを補正することを特徴とする車両用空気調和装置。
【請求項３】
前記制御装置は、前記室外熱交換器の冷媒蒸発温度ＴＸＯが前記無着霜時における当該室外熱交換器の冷媒蒸発温度ＴＸＯｂａｓｅより低下し、その差ΔＴＸＯが所定値以上となった状態が所定時間継続した場合、又は、前記室外熱交換器の冷媒蒸発圧力ＰＸＯが前記無着霜時における当該室外熱交換器の冷媒蒸発圧力ＰＸＯｂａｓｅより低下し、その差ΔＰＸＯが所定値以上となった状態が所定時間継続した場合、前記室外熱交換器に着霜したものと判定することを特徴とする請求項１又は請求項２に記載の車両用空気調和装置。
【請求項４】
前記制御装置は起動初期において、前記差ΔＴＸＯ、又は、前記差ΔＰＸＯを所定期間内に複数回算出し、当該所定期間内の最も大きな差ΔＴＸＯと最も小さい差ΔＴＸＯとの差違ΔＰＴ、又は、前記所定期間内の最も大きな差ΔＰＸＯと最も小さい差ΔＰＸＯとの差違ΔＰＰが所定値以内となったか否か判断し、所定値以内になった場合の当該所定期間内の複数の前記差ΔＴＸＯ、又は、当該所定期間内の複数の前記差ΔＰＸＯに基づいて前記誤差ＬＲＮを決定することを特徴とする請求項３に記載の車両用空気調和装置。
【請求項５】
前記制御装置は、所定のタイムアウト期間内に前記差違ΔＰＴ、又は、前記差違ΔＰＰが所定値以内とならなかった場合、前記誤差ＬＲＮを打ち消す方向の前記無着霜時における室外熱交換器の冷媒蒸発温度ＴＸＯｂａｓｅの補正、又は、前記誤差ＬＲＮを打ち消す方向の前記無着霜時における室外熱交換器の冷媒蒸発圧力ＰＸＯｂａｓｅの補正を行わないことを特徴とする請求項４に記載の車両用空気調和装置。
【請求項６】
前記制御装置は、前記室外熱交換器に着霜したものと判定した場合、前記圧縮機を停止し、若しくは、前記室外熱交換器の着霜を除去するための所定の除霜動作を実行することを特徴とする請求項１乃至請求項５のうちの何れかに記載の車両用空気調和装置。
【発明の詳細な説明】
【技術分野】
【０００１】
本発明は、車両の車室内を空調するヒートポンプ式の空気調和装置に関するものである。
【背景技術】
【０００２】
近年の環境問題の顕在化から、ハイブリッド自動車や電気自動車が普及するに至っている。そして、このような車両に適用することができる空気調和装置として、冷媒を圧縮して吐出する圧縮機と、車室内側に設けられて冷媒を放熱させる放熱器と、車室外側に設けられて冷媒を吸熱させる室外熱交換器を備え、圧縮機から吐出された冷媒を放熱器において放熱させ、この放熱器において放熱した冷媒を室外熱交換器において吸熱させる暖房モードを実行するものが開発されている（例えば、特許文献１参照）。
【０００３】
また、暖房モードでは室外熱交換器が外気から吸熱するため、当該室外熱交換器には着霜が生じる。室外熱交換器に着霜が成長すると、外気からの吸熱能力が著しく低下するため、圧縮機を停止したり、室外熱交換器を除霜する必要があるが、その場合は車室内に吹き出される空気温度が低下し、快適性が損なわれるため、除霜や運転停止は最低限としたい。
【０００４】
そのためには、精度の高い着霜判定が必要となるが、前記公報では外気温度や車速に基づいて無着霜時における室外熱交換器の冷媒蒸発温度ＴＸＯｂａｓｅや冷媒蒸発圧力ＰＸＯｂａｓｅを推定し、実際の冷媒蒸発温度ＴＸＯや冷媒蒸発圧力ＰＸＯがそれらより低下してその差ΔＴＸＯやΔＰＸＯが所定値以上となったときに、室外熱交換器に着霜が進行しているものと判定するようにしていた。
【先行技術文献】
【特許文献】
【０００５】
【特許文献１】特開２０１４−９４６７６号公報
【発明の概要】
【発明が解決しようとする課題】
【０００６】
しかしながら、実際には外気温度等を検出するためのセンサその他の部品のバラツキにより、無着霜時における室外熱交換器の冷媒蒸発温度ＴＸＯｂａｓｅや冷媒蒸発圧力ＰＸＯｂａｓｅを推定値に誤差が生じる。この誤差が着霜を検知しない側への誤差、即ち、無着霜時における室外熱交換器の冷媒蒸発温度ＴＸＯｂａｓｅや冷媒蒸発圧力ＰＸＯｂａｓｅが実際の冷媒蒸発温度ＴＸＯや冷媒蒸発圧力ＰＸＯより低くなる誤差であった場合、室外熱交換器に着霜が進行しているにもかかわらず、それを検知できなくなると云う問題があった。
【０００７】
本発明は、係る従来の技術的課題を解決するために成されたものであり、部品にバラツキが生じても、室外熱交換器の着霜を的確に検知することができる車両用空気調和装置を提供することを目的とする。
【課題を解決するための手段】
【０００８】
請求項１の発明の車両用空気調和装置は、冷媒を圧縮する圧縮機と、車室内に供給する空気が流通する空気流通路と、冷媒を放熱させて空気流通路から車室内に供給する空気を加熱するための放熱器と、車室外に設けられて冷媒を吸熱させる室外熱交換器と、制御装置とを備え、この制御装置により、少なくとも圧縮機から吐出された冷媒を放熱器にて放熱させ、放熱した当該冷媒を減圧した後、室外熱交換器にて吸熱させて車室内を暖房し、室外熱交換器の冷媒蒸発温度ＴＸＯと、無着霜時における当該室外熱交換器の冷媒蒸発温度ＴＸＯｂａｓｅとに基づき、この室外熱交換器への着霜を判定するものであって、制御装置は、環境条件、及び／又は、運転状況を示す指標に基づいて無着霜時における室外熱交換器の冷媒蒸発温度ＴＸＯｂａｓｅを推定すると共に、起動初期において、無着霜時における室外熱交換器の冷媒蒸発温度ＴＸＯｂａｓｅと室外熱交換器の冷媒蒸発温度ＴＸＯとの間に、着霜を検知しない側への誤差ＬＲＮがある場合、この誤差ＬＲＮを減少させ、若しくは、打ち消す方向に無着霜時における室外熱交換器の冷媒蒸発温度ＴＸＯｂａｓｅを補正することを特徴とする。
【０００９】
請求項２の発明の車両用空気調和装置は、冷媒を圧縮する圧縮機と、車室内に供給する空気が流通する空気流通路と、冷媒を放熱させて空気流通路から車室内に供給する空気を加熱するための放熱器と、車室外に設けられて冷媒を吸熱させる室外熱交換器と、制御装置とを備え、この制御装置により、少なくとも圧縮機から吐出された冷媒を放熱器にて放熱させ、放熱した当該冷媒を減圧した後、室外熱交換器にて吸熱させて車室内を暖房し、室外熱交換器の冷媒蒸発圧力ＰＸＯと、無着霜時における当該室外熱交換器の冷媒蒸発圧力ＰＸＯｂａｓｅとに基づき、この室外熱交換器への着霜を判定するものであって、制御装置は、環境条件、及び／又は、運転状況を示す指標に基づいて無着霜時における室外熱交換器の冷媒蒸発圧力ＰＸＯｂａｓｅを推定すると共に、起動初期において、無着霜時における室外熱交換器の冷媒蒸発圧力ＰＸＯｂａｓｅと室外熱交換器の冷媒蒸発圧力ＰＸＯとの間に、着霜を検知しない側への誤差ＬＲＮがある場合、この誤差ＬＲＮを減少させ、若しくは、打ち消す方向に無着霜時における室外熱交換器の冷媒蒸発圧力ＰＸＯｂａｓｅを補正することを特徴とする。
【００１０】
請求項３の発明の車両用空気調和装置は、上記各発明において制御装置は、室外熱交換器の冷媒蒸発温度ＴＸＯが無着霜時における当該室外熱交換器の冷媒蒸発温度ＴＸＯｂａｓｅより低下し、その差ΔＴＸＯが所定値以上となった状態が所定時間継続した場合、又は、室外熱交換器の冷媒蒸発圧力ＰＸＯが無着霜時における当該室外熱交換器の冷媒蒸発圧力ＰＸＯｂａｓｅより低下し、その差ΔＰＸＯが所定値以上となった状態が所定時間継続した場合、室外熱交換器に着霜したものと判定することを特徴とする。
【００１１】
請求項４の発明の車両用空気調和装置は、上記発明において制御装置は起動初期において、差ΔＴＸＯ、又は、差ΔＰＸＯを所定期間内に複数回算出し、当該所定期間内の最も大きな差ΔＴＸＯと最も小さい差ΔＴＸＯとの差違ΔＰＴ、又は、所定期間内の最も大きな差ΔＰＸＯと最も小さい差ΔＰＸＯとの差違ΔＰＰが所定値以内となったか否か判断し、所定値以内になった場合の当該所定期間内の複数の差ΔＴＸＯ、又は、当該所定期間内の複数の差ΔＰＸＯに基づいて誤差ＬＲＮを決定することを特徴とする。
【００１２】
請求項５の発明の車両用空気調和装置は、上記発明において制御装置は、所定のタイムアウト期間内に差違ΔＰＴ、又は、差違ΔＰＰが所定値以内とならなかった場合、誤差ＬＲＮによる無着霜時における室外熱交換器の冷媒蒸発温度ＴＸＯｂａｓｅの補正、又は、誤差ＬＲＮによる無着霜時における室外熱交換器の冷媒蒸発圧力ＰＸＯｂａｓｅの補正を行わないことを特徴とする。
【００１３】
請求項６の発明の車両用空気調和装置は、上記各発明において制御装置は、室外熱交換器に着霜したものと判定した場合、圧縮機を停止し、若しくは、室外熱交換器の着霜を除去するための所定の除霜動作を実行することを特徴とする。
【発明の効果】
【００１４】
請求項１又は請求項２の発明によれば、少なくとも圧縮機から吐出された冷媒を放熱器にて放熱させ、放熱した当該冷媒を減圧した後、室外熱交換器にて吸熱させて車室内を暖房すると共に、室外熱交換器の冷媒蒸発温度ＴＸＯと、無着霜時における当該室外熱交換器の冷媒蒸発温度ＴＸＯｂａｓｅとに基づき、又は、室外熱交換器の冷媒蒸発圧力ＰＸＯと、無着霜時における当該室外熱交換器の冷媒蒸発圧力ＰＸＯｂａｓｅとに基づき、室外熱交換器への着霜を判定する車両用空気調和装置において、制御装置が、環境条件、及び／又は、運転状況を示す指標に基づいて無着霜時における室外熱交換器の冷媒蒸発温度ＴＸＯｂａｓｅ、又は、無着霜時における当該室外熱交換器の冷媒蒸発圧力ＰＸＯｂａｓｅを推定すると共に、起動初期において、無着霜時における室外熱交換器の冷媒蒸発温度ＴＸＯｂａｓｅと室外熱交換器の冷媒蒸発温度ＴＸＯとの間に、又は、無着霜時における室外熱交換器の冷媒蒸発圧力ＰＸＯｂａｓｅと室外熱交換器の冷媒蒸発圧力ＰＸＯとの間に、着霜を検知しない側への誤差ＬＲＮがある場合、この誤差ＬＲＮを減少させ、若しくは、打ち消す方向に無着霜時における室外熱交換器の冷媒蒸発温度ＴＸＯｂａｓｅ、又は、無着霜時における室外熱交換器の冷媒蒸発圧力ＰＸＯｂａｓｅを補正するようにしたので、部品のバラツキにより、推定された無着霜時における室外熱交換器の冷媒蒸発温度ＴＸＯｂａｓｅ、又は、無着霜時における当該室外熱交換器の冷媒蒸発圧力ＰＸＯｂａｓｅと実際の室外熱交換器の冷媒蒸発温度ＴＸＯ、又は、冷媒蒸発圧力ＰＸＯとの間に誤差ＬＲＮが生じた場合にも、これを減少、若しくは、打ち消して室外熱交換器の着霜の進行を的確に検知することができるようになる。
【００１５】
そして、請求項６の如く制御装置が、室外熱交換器に着霜したものと判定した場合、圧縮機を停止し、若しくは、室外熱交換器の着霜を除去するための所定の除霜動作を実行することにより、適切に機器の保護や室外熱交換器の除霜を行い、車室内の快適性を担保することができるようになる。
【００１６】
また、請求項３の発明の如く制御装置が、室外熱交換器の冷媒蒸発温度ＴＸＯが無着霜時における当該室外熱交換器の冷媒蒸発温度ＴＸＯｂａｓｅより低下し、その差ΔＴＸＯが所定値以上となった状態が所定時間継続した場合、又は、室外熱交換器の冷媒蒸発圧力ＰＸＯが無着霜時における当該室外熱交換器の冷媒蒸発圧力ＰＸＯｂａｓｅより低下し、その差ΔＰＸＯが所定値以上となった状態が所定時間継続した場合、室外熱交換器に着霜したものと判定することで、外乱等の影響による誤判定を排除し、室外熱交換器の着霜の進行を精度良く検知することができるようになる。
【００１７】
この場合、請求項４の発明の如く制御装置が起動初期において、差ΔＴＸＯ、又は、差ΔＰＸＯを所定期間内に複数回算出し、当該所定期間内の最も大きな差ΔＴＸＯと最も小さい差ΔＴＸＯとの差違ΔＰＴ、又は、所定期間内の最も大きな差ΔＰＸＯと最も小さい差ΔＰＸＯとの差違ΔＰＰが所定値以内となったか否か判断し、所定値以内になった場合の当該所定期間内の複数の差ΔＴＸＯ、又は、当該所定期間内の複数の差ΔＰＸＯに基づいて誤差ＬＲＮを決定するようにすれば、起動初期における不安定な運転状況での誤った誤差ＬＲＮの算出を排除し、安定状況下での誤差ＬＲＮの決定を実現することができるようになる。
【００１８】
但し、請求項５の発明の如く制御装置が、所定のタイムアウト期間内に差違ΔＰＴ、又は、差違ΔＰＰが所定値以内とならなかった場合、誤差ＬＲＮによる無着霜時における室外熱交換器の冷媒蒸発温度ＴＸＯｂａｓｅの補正、又は、誤差ＬＲＮによる無着霜時における室外熱交換器の冷媒蒸発圧力ＰＸＯｂａｓｅの補正を行わないようにすれば、不必要に長期間、誤差ＬＲＮが決定できずに室外熱交換器の着霜判定が行われなくなる不都合も回避することができるようになる。
【図面の簡単な説明】
【００１９】
【図１】本発明を適用した一実施形態の車両用空気調和装置の構成図である（実施例１）。
【図２】図１の車両用空気調和装置の制御装置のブロック図である。
【図３】図１の車両用空気調和装置の空気流通路の模式図である。
【図４】図２のヒートポンプコントローラの暖房モードにおける圧縮機制御に関する制御ブロック図である。
【図５】図２のヒートポンプコントローラの除湿暖房モードにおける圧縮機制御に関する制御ブロック図である。
【図６】図２のヒートポンプコントローラの除湿暖房モードにおける補助ヒータ（補助加熱装置）制御に関する制御ブロック図である。
【図７】ＴＸＯｂａｓｅとＴＸＯに基づく図２のヒートポンプコントローラによる室外熱交換器の着霜判定を説明するタイミングチャートである。
【図８】ＰＸＯｂａｓｅとＰＸＯに基づく図２のヒートポンプコントローラによる室外熱交換器の着霜判定を説明するタイミングチャートである。
【図９】ＴＸＯｂａｓｅの推定に誤差ＬＲＮがある場合の室外熱交換器の着霜判定を説明するタイミングチャートである。
【図１０】図２のヒートポンプコントローラによる誤差ＬＲＮによるＴＸＯｂａｓｅの補正制御を説明するフローチャートである。
【図１１】図２のヒートポンプコントローラによる室外熱交換器の着霜判定の遷移図である。
【図１２】誤差ＬＲＮを補正したときのＴＸＯｂａｓｅとＴＸＯに基づく図２のヒートポンプコントローラによる室外熱交換器の着霜判定を説明するタイミングチャートである。
【図１３】本発明の他の実施例の車両用空気調和装置の構成図である（実施例２）。
【発明を実施するための形態】
【００２０】
以下、本発明の実施の形態について、図面に基づき詳細に説明する。
【実施例１】
【００２１】
図１は本発明の一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房モードを行い、更に、除湿暖房モード、除湿冷房モード、冷房モード、ＭＡＸ冷房モード（最大冷房モード）及び補助ヒータ単独モードの各運転モードを選択的に実行するものである。
【００２２】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００２３】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を放熱させて車室内に供給する空気を加熱するためのヒータとしての放熱器４と、暖房時に冷媒を減圧膨張させる電動弁から成る室外膨張弁６（減圧装置）と、車室外に設けられて冷房時には放熱器として機能し、暖房時には蒸発器として機能すべく冷媒と外気との間で熱交換を行わせる室外熱交換器７と、冷媒を減圧膨張させる電動弁から成る室内膨張弁８（減圧装置）と、空気流通路３内に設けられ、冷房時及び除湿時に冷媒を吸熱させて車室内外から吸い込んで車室内に供給する空気を冷却するための吸熱器９と、アキュムレータ１２等が冷媒配管１３により順次接続され、冷媒回路Ｒが構成されている。
【００２４】
そして、この冷媒回路Ｒには所定量の冷媒と潤滑用のオイルが充填されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。
【００２５】
また、室外熱交換器７は冷媒下流側にレシーバドライヤ部１４と過冷却部１６を順次有し、室外熱交換器７から出た冷媒配管１３Ａは冷房時に開放される電磁弁１７を介してレシーバドライヤ部１４に接続され、過冷却部１６の出口側の冷媒配管１３Ｂは室内膨張弁８介して吸熱器９の入口側に接続されている。尚、レシーバドライヤ部１４及び過冷却部１６は構造的に室外熱交換器７の一部を構成している。
【００２６】
また、過冷却部１６と室内膨張弁８間の冷媒配管１３Ｂは、吸熱器９の出口側の冷媒配管１３Ｃと熱交換関係に設けられ、両者で内部熱交換器１９を構成している。これにより、冷媒配管１３Ｂを経て室内膨張弁８に流入する冷媒は、吸熱器９を出た低温の冷媒により冷却（過冷却）される構成とされている。
【００２７】
また、室外熱交換器７から出た冷媒配管１３Ａは冷媒配管１３Ｄに分岐しており、この分岐した冷媒配管１３Ｄは、暖房時に開放される電磁弁２１を介して内部熱交換器１９の下流側における冷媒配管１３Ｃに連通接続されている。この冷媒配管１３Ｃがアキュムレータ１２に接続され、アキュムレータ１２は圧縮機２の冷媒吸込側に接続されている。更に、放熱器４の出口側の冷媒配管１３Ｅは室外膨張弁６を介して室外熱交換器７の入口側に接続されている。
【００２８】
また、圧縮機２の吐出側と放熱器４の入口側の間の冷媒配管１３Ｇには後述する除湿暖房とＭＡＸ冷房時に閉じられる電磁弁３０（流路切換装置を構成する）が介設されている。この場合、冷媒配管１３Ｇは電磁弁３０の上流側でバイパス配管３５に分岐しており、このバイパス配管３５は除湿暖房とＭＡＸ冷房時に開放される電磁弁４０（これも流路切換装置を構成する）を介して室外膨張弁６の下流側の冷媒配管１３Ｅに連通接続されている。これらバイパス配管３５、電磁弁３０及び電磁弁４０によりバイパス装置４５が構成される。
【００２９】
このようなバイパス配管３５、電磁弁３０及び電磁弁４０によりバイパス装置４５を構成したことで、後述する如く圧縮機２から吐出された冷媒を室外熱交換器７に直接流入させる除湿暖房モードやＭＡＸ冷房モードと、圧縮機２から吐出された冷媒を放熱器４に流入させる暖房モードや除湿冷房モード、冷房モードとの切り換えを円滑に行うことができるようになる。
【００３０】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００３１】
また、図１において２３は実施例の車両用空気調和装置１に設けられた補助加熱装置（もう一つのヒータ）としての補助ヒータである。実施例の補助ヒータ２３は電気ヒータであるＰＴＣヒータにて構成されており、空気流通路３の空気の流れに対して、放熱器４の風上側（空気上流側）となる空気流通路３内に設けられている。そして、補助ヒータ２３に通電されて発熱すると、吸熱器９を経て放熱器４に流入する空気流通路３内の空気が加熱される。即ち、この補助ヒータ２３が所謂ヒータコアとなり、車室内の暖房を行い、或いは、それを補完する。この実施例では前述した放熱器４とこの補助ヒータ２３がヒータとなる。
【００３２】
ここで、ＨＶＡＣユニット１０の吸熱器９より風下側（空気下流側）の空気流通路３は仕切壁１０Ａにより区画され、暖房用熱交換通路３Ａとそれをバイパスするバイパス通路３Ｂとが形成されており、前述した放熱器４と補助ヒータ２３は暖房用熱交換通路３Ａに配置されている。
【００３３】
また、補助ヒータ２３の風上側における空気流通路３内には、当該空気流通路３内に流入し、吸熱器９を通過した後の空気流通路３内の空気（内気や外気）を、補助ヒータ２３及び放熱器４が配置された暖房用熱交換通路３Ａに通風する割合を調整するエアミックスダンパ２８が設けられている。
【００３４】
更に、放熱器４の風下側におけるＨＶＡＣユニット１０には、ＦＯＯＴ（フット）吹出口２９Ａ（第１の吹出口）、ＶＥＮＴ（ベント）吹出口２９Ｂ（ＦＯＯＴ吹出口２９Ａに対しては第２の吹出口、ＤＥＦ吹出口２９Ｃに対しては第１の吹出口）、ＤＥＦ（デフ）吹出口２９Ｃ（第２の吹出口）の各吹出口が形成されている。ＦＯＯＴ吹出口２９Ａは車室内の足下に空気を吹き出すための吹出口で、最も低い位置にある。また、ＶＥＮＴ吹出口２９Ｂは車室内の運転者の胸や顔付近に空気を吹き出すための吹出口で、ＦＯＯＴ吹出口２９Ａより上方にある。そして、ＤＥＦ吹出口２９Ｃは車両のフロントガラス内面に空気を吹き出すための吹出口で、他の吹出口２９Ａ、２９Ｂよりも上方の最も高い位置にある。
【００３５】
そして、ＦＯＯＴ吹出口２９Ａ、ＶＥＮＴ吹出口２９Ｂ、及び、ＤＥＦ吹出口２９Ｃには、空気の吹き出し量を制御するＦＯＯＴ吹出口ダンパ３１Ａ、ＶＥＮＴ吹出口ダンパ３１Ｂ、及び、ＤＥＦ吹出口ダンパ３１Ｃがそれぞれ設けられている。
【００３６】
次に、図２は実施例の車両用空気調和装置１の制御装置１１のブロック図を示している。制御装置１１は、何れもプロセッサを備えたコンピュータの一例であるマイクロコンピュータから構成された空調コントローラ２０及びヒートポンプコントローラ３２から構成されており、これらがＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）を構成する車両通信バス６５に接続されている。また、圧縮機２と補助ヒータ２３も車両通信バス６５に接続され、これら空調コントローラ２０、ヒートポンプコントローラ３２、圧縮機２及び補助ヒータ２３が車両通信バス６５を介してデータの送受信を行うように構成されている。
【００３７】
空調コントローラ２０は、車両の車室内空調の制御を司る上位のコントローラであり、この空調コントローラ２０の入力には、車両の外気温度（Ｔａｍ）を検出する外気温度センサ３３と、外気湿度を検出する外気湿度センサ３４と、吸込口２５から空気流通路３に吸い込まれて吸熱器９に流入する空気の温度（吸込空気温度Ｔａｓ）を検出するＨＶＡＣ吸込温度センサ３６と、車室内の空気（内気）の温度（室内温度Ｔｉｎ）を検出する内気温度センサ３７と、車室内の空気の湿度を検出する内気湿度センサ３８と、車室内の二酸化炭素濃度を検出する室内ＣＯ2濃度センサ３９と、車室内に吹き出される空気の温度を検出する吹出温度センサ４１と、圧縮機２の吐出冷媒圧力（吐出圧力Ｐｄ）を検出する吐出圧力センサ４２と、車室内への日射量を検出するための例えばフォトセンサ式の日射センサ５１と、車両の移動速度（車速）を検出するための車速センサ５２の各出力と、設定温度や運転モードの切り換えを設定するための空調（エアコン）操作部５３が接続されている。
【００３８】
また、空調コントローラ２０の出力には、室外送風機１５と、室内送風機（ブロワファン）２７と、吸込切換ダンパ２６と、エアミックスダンパ２８と、各吹出口ダンパ３１Ａ〜３１Ｃが接続され、それらは空調コントローラ２０により制御される。
【００３９】
ヒートポンプコントローラ３２は、主に冷媒回路Ｒの制御を司るコントローラであり、このヒートポンプコントローラ３２の入力には、圧縮機２の吐出冷媒温度を検出する吐出温度センサ４３と、圧縮機２の吸込冷媒圧力を検出する吸込圧力センサ４４と、圧縮機２の吸込冷媒温度Ｔｓを検出する吸込温度センサ５５と、放熱器４の冷媒温度（放熱器温度ＴＣＩ）を検出する放熱器温度センサ４６と、放熱器４の冷媒圧力（放熱器圧力ＰＣＩ）を検出する放熱器圧力センサ４７と、吸熱器９の冷媒温度（吸熱器温度Ｔｅ）を検出する吸熱器温度センサ４８と、吸熱器９の冷媒圧力を検出する吸熱器圧力センサ４９と、補助ヒータ２３の温度（補助ヒータ温度Ｔｐｔｃ）を検出する補助ヒータ温度センサ５０と、室外熱交換器７の出口の冷媒温度（室外熱交換器温度ＴＸＯ）を検出する室外熱交換器温度センサ５４と、室外熱交換器７の出口の冷媒圧力（室外熱交換器圧力ＰＸＯ）を検出する室外熱交換器圧力センサ５６の各出力が接続されている。
【００４０】
また、ヒートポンプコントローラ３２の出力には、室外膨張弁６、室内膨張弁８と、電磁弁３０（リヒート用）、電磁弁１７（冷房用）、電磁弁２１（暖房用）、電磁弁４０（バイパス用）の各電磁弁が接続され、それらはヒートポンプコントローラ３２により制御される。尚、圧縮機２と補助ヒータ２３はそれぞれコントローラを内蔵しており、圧縮機２と補助ヒータ２３のコントローラは車両通信バス６５を介してヒートポンプコントローラ３２とデータの送受信を行い、このヒートポンプコントローラ３２によって制御される。
【００４１】
ヒートポンプコントローラ３２と空調コントローラ２０は車両通信バス６５を介して相互にデータの送受信を行い、各センサの出力や空調操作部５３にて入力された設定に基づき、各機器を制御するものであるが、この場合の実施例では外気温度センサ３３、吐出圧力センサ４２、車速センサ５２、空気流通路３に流入した空気の体積風量Ｇａ（空調コントローラ２０が算出）、エアミックスダンパ２８による風量割合ＳＷ（空調コントローラ２０が算出）、空調操作部５３の出力は空調コントローラ２０から車両通信バス６５を介してヒートポンプコントローラ３２に送信され、ヒートポンプコントローラ３２による制御に供される構成とされている。
【００４２】
以上の構成で、次に実施例の車両用空気調和装置１の動作を説明する。この実施例では制御装置１１（空調コントローラ２０、ヒートポンプコントローラ３２）は、暖房モード、除湿暖房モード、除湿冷房モード、冷房モード、ＭＡＸ冷房モード（最大冷房モード）及び補助ヒータ単独モードの各運転モードを切り換えて実行する。先ず、各運転モードにおける冷媒の流れと制御の概略について説明する。
【００４３】
（１）暖房モード
ヒートポンプコントローラ３２により（オートモード）或いは空調操作部５３へのマニュアル操作（マニュアルモード）により暖房モードが選択されると、ヒートポンプコントローラ３２は電磁弁２１（暖房用）を開放し、電磁弁１７（冷房用）を閉じる。また、電磁弁３０（リヒート用）を開放し、電磁弁４０（バイパス用）を閉じる。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量を調整してもよい。
【００４４】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒（補助ヒータ２３が動作するときは当該補助ヒータ２３及び放熱器４）により加熱され、一方、放熱器４内の冷媒は空気に熱を奪われて冷却され、凝縮液化する。
【００４５】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ及び電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。放熱器４（補助ヒータ２３が動作するときは当該補助ヒータ２３及び放熱器４）にて加熱された空気は各吹出口２９Ａ〜２９Ｃから吹き出されるので、これにより車室内の暖房が行われることになる。
【００４６】
ヒートポンプコントローラ３２は、空調コントローラ２０が目標吹出温度ＴＡＯから算出する目標ヒータ温度ＴＣＯ（放熱器温度ＴＣＩの目標値）から目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。また、ヒートポンプコントローラ３２は、放熱器温度センサ４６が検出する放熱器４の冷媒温度（放熱器温度ＴＣＩ）及び放熱器圧力センサ４７が検出する放熱器圧力ＰＣＩに基づいて室外膨張弁６の弁開度を制御し、放熱器４の出口における冷媒の過冷却度ＳＣを制御する。
【００４７】
また、ヒートポンプコントローラ３２はこの暖房モードにおいては、車室内空調に要求される暖房能力に対して放熱器４による暖房能力が不足する場合、その不足する分を補助ヒータ２３の発熱で補完するように補助ヒータ２３の通電を制御する。それにより、快適な車室内暖房を実現し、且つ、室外熱交換器７の着霜も抑制する。このとき、補助ヒータ２３は放熱器４の空気上流側に配置されているので、空気流通路３を流通する空気は放熱器４の前に補助ヒータ２３に通風されることになる。
【００４８】
ここで、補助ヒータ２３が放熱器４の空気下流側に配置されていると、実施例の如くＰＴＣヒータで補助ヒータ２３を構成した場合には、補助ヒータ２３に流入する空気の温度が放熱器４によって上昇するため、ＰＴＣヒータの抵抗値が大きくなり、電流値も低くなって発熱量が低下してしまうが、放熱器４の空気上流側に補助ヒータ２３を配置することで、実施例の如くＰＴＣヒータから構成される補助ヒータ２３の能力を十分に発揮させることができるようになる。
【００４９】
（２）除湿暖房モード
次に、除湿暖房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００５０】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００５１】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却され、且つ、当該空気中の水分が吸熱器９に凝結して付着するので、空気流通路３内の空気は冷却され、且つ、除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。
【００５２】
このとき、室外膨張弁６の弁開度は全閉とされているので、圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。更に、この除湿暖房モードにおいてヒートポンプコントローラ３２は、補助ヒータ２３に通電して発熱させる。これにより、吸熱器９にて冷却され、且つ、除湿された空気は補助ヒータ２３を通過する過程で更に加熱され、温度が上昇するので車室内の除湿暖房が行われることになる。
【００５３】
ヒートポンプコントローラ３２は吸熱器温度センサ４８が検出する吸熱器９の温度（吸熱器温度Ｔｅ）と、空調コントローラ２０が算出する吸熱器温度Ｔｅの目標値である目標吸熱器温度ＴＥＯに基づいて圧縮機２の回転数ＮＣを制御すると共に、補助ヒータ温度センサ５０が検出する補助ヒータ温度Ｔｐｔｃと前述した目標ヒータ温度ＴＣＯ（この場合、補助ヒータ温度Ｔｐｔｃの目標値となる）に基づいて補助ヒータ２３の通電（発熱による加熱）を制御することで、吸熱器９での空気の冷却と除湿を適切に行いながら、補助ヒータ２３による加熱で各吹出口２９Ａ〜２９Ｃから車室内に吹き出される空気温度の低下を的確に防止する。これにより、車室内に吹き出される空気を除湿しながら、その温度を適切な暖房温度に制御することが可能となり、車室内の快適且つ効率的な除湿暖房を実現することができるようになる。
【００５４】
尚、補助ヒータ２３は放熱器４の空気上流側に配置されているので、補助ヒータ２３で加熱された空気は放熱器４を通過することになるが、この除湿暖房モードでは放熱器４に冷媒は流されないので、補助ヒータ２３にて加熱された空気から放熱器４が吸熱してしまう不都合も解消される。即ち、放熱器４によって車室内に吹き出される空気の温度が低下してしまうことが抑制され、ＣＯＰも向上することになる。
【００５５】
（３）除湿冷房モード
次に、除湿冷房モードでは、ヒートポンプコントローラ３２は電磁弁１７を開放し、電磁弁２１を閉じる。また、電磁弁３０を開放し、電磁弁４０を閉じる。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００５６】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００５７】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００５８】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５９】
吸熱器９で蒸発した冷媒は内部熱交換器１９を経て冷媒配管１３Ｃを介し、アキュムレータ１２に至り、そこを経て圧縮機２に吸い込まれる循環を繰り返す。この除湿冷房モードではヒートポンプコントローラ３２は補助ヒータ２３に通電しないので、吸熱器９にて冷却され、除湿された空気は放熱器４を通過する過程で再加熱（暖房時よりも放熱能力は低い）される。これにより車室内の除湿冷房が行われることになる。
【００６０】
ヒートポンプコントローラ３２は吸熱器温度センサ４８が検出する吸熱器９の温度（吸熱器温度Ｔｅ）とその目標値である目標吸熱器温度ＴＥＯ（空調コントローラ２０から送信される）に基づいて圧縮機２の回転数ＮＣを制御する。また、ヒートポンプコントローラ３２は前述した目標ヒータ温度ＴＣＯから目標放熱器圧力ＰＣＯを算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて室外膨張弁６の弁開度を制御し、放熱器４による加熱を制御する。
【００６１】
（４）冷房モード
次に、冷房モードでは、ヒートポンプコントローラ３２は上記除湿冷房モードの状態において室外膨張弁６の弁開度を全開とする。そして、圧縮機２を運転し、補助ヒータ２３には通電しない。空調コントローラ２０は各送風機１５、２７を運転し、エアミックスダンパ２８は、室内送風機２７から吹き出されて吸熱器９を経た空気流通路３内の空気が、暖房用熱交換通路３Ａの補助ヒータ２３及び放熱器４に通風される割合を調整する状態とする。
【００６２】
これにより、圧縮機２から吐出された高温高圧のガス冷媒は電磁弁３０を経て冷媒配管１３Ｇから放熱器４に流入すると共に、放熱器４を出た冷媒は冷媒配管１３Ｅを経て室外膨張弁６に至る。このとき室外膨張弁６は全開とされているので冷媒はそれを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００６３】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着する。
【００６４】
吸熱器９で蒸発した冷媒は内部熱交換器１９を経て冷媒配管１３Ｃを介し、アキュムレータ１２に至り、そこを経て圧縮機２に吸い込まれる循環を繰り返す。吸熱器９にて冷却され、除湿された空気が各吹出口２９Ａ〜２９Ｃから車室内に吹き出されるので（一部は放熱器４を通過して熱交換する）、これにより車室内の冷房が行われることになる。また、この冷房モードにおいては、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００６５】
（５）ＭＡＸ冷房モード（最大冷房モード）
次に、最大冷房モードとしてのＭＡＸ冷房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転し、補助ヒータ２３には通電しない。空調コントローラ２０は、各送風機１５、２７を運転し、エアミックスダンパ２８は、室内送風機２７から吹き出されて吸熱器９を経た空気流通路３内の空気が、暖房用熱交換通路３Ａの補助ヒータ２３及び放熱器４に通風される割合を調整する状態とする。
【００６６】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６７】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着するので、空気流通路３内の空気は除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。このとき、室外膨張弁６は全閉とされているので、同様に圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。
【００６８】
ここで、前述した冷房モードでは放熱器４に高温の冷媒が流れているため、放熱器４からＨＶＡＣユニット１０への直接の熱伝導が少なからず生じるが、このＭＡＸ冷房モードでは放熱器４に冷媒が流れないため、放熱器４からＨＶＡＣユニット１０に伝達される熱で吸熱器９からの空気流通路３内の空気が加熱されることも無くなる。そのため、車室内の強力な冷房が行われ、特に外気温度Ｔａｍが高いような環境下では、迅速に車室内を冷房して快適な車室内空調を実現することができるようになる。また、このＭＡＸ冷房モードにおいても、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００６９】
（６）補助ヒータ単独モード
尚、実施例の制御装置１１は室外熱交換器７に過着霜が生じた場合などに、冷媒回路Ｒの圧縮機２と室外送風機１５を停止し、補助ヒータ２３に通電してこの補助ヒータ２３のみで車室内を暖房する補助ヒータ単独モードを有している。この場合にも、ヒートポンプコントローラ３２は補助ヒータ温度センサ５０が検出する補助ヒータ温度Ｔｐｔｃと前述した目標ヒータ温度ＴＣＯに基づいて補助ヒータ２３の通電（発熱）を制御する。
【００７０】
また、空調コントローラ２０は室内送風機２７を運転し、エアミックスダンパ２８は、室内送風機２７から吹き出された空気流通路３内の空気を暖房用熱交換通路３Ａの補助ヒータ２３に通風し、風量を調整する状態とする。補助ヒータ２３にて加熱された空気が各吹出口２９Ａ〜２９Ｃから車室内に吹き出されるので、これにより車室内の暖房が行われることになる。
【００７１】
（７）運転モードの切換
空調コントローラ２０は、下記式（Ｉ）から前述した目標吹出温度ＴＡＯを算出する。この目標吹出温度ＴＡＯは、車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する室内温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００７２】
ヒートポンプコントローラ３２は、起動時には空調コントローラ２０から車両通信バス６５を介して送信される外気温度Ｔａｍ（外気温度センサ３３が検出する）と目標吹出温度ＴＡＯとに基づいて上記各運転モードのうちの何れかの運転モードを選択すると共に、各運転モードを車両通信バス６５を介して空調コントローラ２０に送信する。また、起動後は外気温度Ｔａｍ、車室内の湿度、目標吹出温度ＴＡＯ、後述する加熱温度ＴＨ（放熱器４の風下側の空気の温度。推定値）、目標ヒータ温度ＴＣＯ、吸熱器温度Ｔｅ、目標吸熱器温度ＴＥＯ、車室内の除湿要求の有無、等のパラメータに基づいて各運転モードの切り換えを行うことで、環境条件や除湿の要否に応じて的確に暖房モード、除湿暖房モード、除湿冷房モード、冷房モード、ＭＡＸ冷房モード及び補助ヒータ単独モードを切り換えて車室内に吹き出される空気の温度を目標吹出温度ＴＡＯに制御し、快適且つ効率的な車室内空調を実現するものである。
【００７３】
（８）ヒートポンプコントローラ３２による暖房モードでの圧縮機２の制御
次に、図４を用いて前述した暖房モードにおける圧縮機２の制御について詳述する。図４は暖房モード用の圧縮機２の目標回転数（圧縮機目標回転数）ＴＧＮＣｈを決定するヒートポンプコントローラ３２の制御ブロック図である。ヒートポンプコントローラ３２のＦ／Ｆ（フィードフォワード）操作量演算部５８は外気温度センサ３３から得られる外気温度Ｔａｍと、室内送風機２７のブロワ電圧ＢＬＶと、ＳＷ＝（ＴＡＯ−Ｔｅ）／（ＴＨ−Ｔｅ）で得られるエアミックスダンパ２８による風量割合ＳＷと、放熱器４の出口における過冷却度ＳＣの目標値である目標過冷却度ＴＧＳＣと、放熱器４の温度の目標値である前述した目標ヒータ温度ＴＣＯ（空調コントローラ２０から送信される）と、放熱器４の圧力の目標値である目標放熱器圧力ＰＣＯに基づいて圧縮機目標回転数のＦ／Ｆ操作量ＴＧＮＣｈｆｆを演算する。
【００７４】
ここで、風量割合ＳＷを算出する上記ＴＨは、放熱器４の風下側の空気の温度（以下、加熱温度と云う）であり、ヒートポンプコントローラ３２が下記に示す一次遅れ演算の式（ＩＩ）から推定する。
ＴＨ＝（ＩＮＴＬ×ＴＨ０＋Ｔａｕ×ＴＨｚ）／（Ｔａｕ＋ＩＮＴＬ）  ・・（ＩＩ）
ここで、ＩＮＴＬは演算周期（定数）、Ｔａｕは一次遅れの時定数、ＴＨ０は一次遅れ演算前の定常状態における加熱温度ＴＨの定常値、ＴＨｚは加熱温度ＴＨの前回値である。このように加熱温度ＴＨを推定することで、格別な温度センサを設ける必要がなくなる。
【００７５】
尚、ヒートポンプコントローラ３２は前述した運転モードによって上記時定数Ｔａｕ及び定常値ＴＨ０を変更することにより、上述した推定式（ＩＩ）を運転モードによって異なるものとし、加熱温度ＴＨを推定する。そして、この加熱温度ＴＨは車両通信バス６５を介して空調コントローラ２０に送信される。
【００７６】
前記目標放熱器圧力ＰＣＯは上記目標過冷却度ＴＧＳＣと目標ヒータ温度ＴＣＯに基づいて目標値演算部５９が演算する。更に、Ｆ／Ｂ（フィードバック）操作量演算部６０はこの目標放熱器圧力ＰＣＯと放熱器４の冷媒圧力である放熱器圧力ＰＣＩに基づいて圧縮機目標回転数のＦ／Ｂ操作量ＴＧＮＣｈｆｂを演算する。そして、Ｆ／Ｆ操作量演算部５８が演算したＦ／Ｆ操作量ＴＧＮＣｎｆｆとＦ／Ｂ操作量演算部６０が演算したＴＧＮＣｈｆｂは加算器６１で加算され、リミット設定部６２で制御上限値と制御下限値のリミットが付けられた後、圧縮機目標回転数ＴＧＮＣｈとして決定される。前記暖房モードにおいては、ヒートポンプコントローラ３２はこの圧縮機目標回転数ＴＧＮＣｈに基づいて圧縮機２の回転数ＮＣを制御する。
【００７７】
（９）ヒートポンプコントローラ３２による除湿暖房モードでの圧縮機２及び補助ヒータ２３の制御
一方、図５は前記除湿暖房モード用の圧縮機２の目標回転数（圧縮機目標回転数）ＴＧＮＣｃを決定するヒートポンプコントローラ３２の制御ブロック図である。ヒートポンプコントローラ３２のＦ／Ｆ操作量演算部６３は外気温度Ｔａｍと、空気流通路３に流入した空気の体積風量Ｇａと、放熱器４の圧力（放熱器圧力ＰＣＩ）の目標値である目標放熱器圧力ＰＣＯと、吸熱器９の温度（吸熱器温度Ｔｅ）の目標値である目標吸熱器温度ＴＥＯに基づいて圧縮機目標回転数のＦ／Ｆ操作量ＴＧＮＣｃｆｆを演算する。
【００７８】
また、Ｆ／Ｂ操作量演算部６４は目標吸熱器温度ＴＥＯ（空調コントローラ２０から送信される）と吸熱器温度Ｔｅに基づいて圧縮機目標回転数のＦ／Ｂ操作量ＴＧＮＣｃｆｂを演算する。そして、Ｆ／Ｆ操作量演算部６３が演算したＦ／Ｆ操作量ＴＧＮＣｃｆｆとＦ／Ｂ操作量演算部６４が演算したＦ／Ｂ操作量ＴＧＮＣｃｆｂは加算器６６で加算され、リミット設定部６７で制御上限値と制御下限値のリミットが付けられた後、圧縮機目標回転数ＴＧＮＣｃとして決定される。除湿暖房モードにおいては、ヒートポンプコントローラ３２はこの圧縮機目標回転数ＴＧＮＣｃに基づいて圧縮機２の回転数ＮＣを制御する。
【００７９】
また、図６は除湿暖房モードにおける補助ヒータ２３の補助ヒータ要求能力ＴＧＱＰＴＣを決定するヒートポンプコントローラ３２の制御ブロック図である。ヒートポンプコントローラ３２の減算器７３には目標ヒータ温度ＴＣＯと補助ヒータ温度Ｔｐｔｃが入力され、目標ヒータ温度ＴＣＯと補助ヒータ温度Ｔｐｔｃの偏差（ＴＣＯ−Ｔｐｔｃ）が算出される。この偏差（ＴＣＯ−Ｔｐｔｃ）はＦ／Ｂ制御部７４に入力され、このＦ／Ｂ制御部７４は偏差（ＴＣＯ−Ｔｐｔｃ）を無くして補助ヒータ温度Ｔｐｔｃが目標ヒータ温度ＴＣＯとなるように補助ヒータ要求能力Ｆ／Ｂ操作量を演算する。
【００８０】
このＦ／Ｂ制御部７４で算出された補助ヒータ要求能力Ｆ／Ｂ操作量はリミット設定部７６で制御上限値と制御下限値のリミットが付けられた後、補助ヒータ要求能力ＴＧＱＰＴＣとして決定される。除湿暖房モードにおいては、コントローラ３２はこの補助ヒータ要求能力ＴＧＱＰＴＣに基づいて補助ヒータ２３の通電を制御することにより、補助ヒータ温度Ｔｐｔｃが目標ヒータ温度ＴＣＯとなるように補助ヒータ２３の発熱（加熱）を制御する。
【００８１】
このようにしてヒートポンプコントローラ３２は、除湿暖房モードでは吸熱器温度Ｔｅと目標吸熱器温度ＴＥＯに基づいて圧縮機の運転を制御すると共に、目標ヒータ温度ＴＣＯに基づいて補助ヒータ２３の発熱を制御することで、除湿暖房モードにおける吸熱器９による冷却と除湿、並びに、補助ヒータ２３による加熱を的確に制御する。これにより、車室内に吹き出される空気をより適切に除湿しながら、その温度をより正確な暖房温度に制御することが可能となり、より一層快適且つ効率的な車室内の除湿暖房を実現することができるようになる。
【００８２】
（１０）エアミックスダンパ２８の制御
次に、図３を参照しながら空調コントローラ２０によるエアミックスダンパ２８の制御について説明する。図３においてＧａは前述した空気流通路３に流入した空気の体積風量、Ｔｅは吸熱器温度、ＴＨは前述した加熱温度（放熱器４の風下側の空気の温度）である。
【００８３】
空調コントローラ２０は、前述した如き式（下記式（ＩＩＩ））により算出される暖房用熱交換通路３Ａの放熱器４と補助ヒータ２３に通風する風量割合ＳＷに基づき、当該割合の風量となるようにエアミックスダンパ２８を制御することで放熱器４（及び補助ヒータ２３）への通風量を調整する。
ＳＷ＝（ＴＡＯ−Ｔｅ）／（ＴＨ−Ｔｅ）      ・・（ＩＩＩ）
【００８４】
即ち、暖房用熱交換通路３Ａの放熱器４と補助ヒータ２３に通風する風量割合ＳＷは０≦ＳＷ≦１の範囲で変化し、「０」で暖房用熱交換通路３Ａへの通風をせず、空気流通路３内の全ての空気をバイパス通路３Ｂに通風するエアミックス全閉状態、「１」で空気流通路３内の全ての空気を暖房用熱交換通路３Ａに通風するエアミックス全開状態となる。即ち、放熱器４への風量はＧａ×ＳＷとなる。
【００８５】
（１１）室外熱交換器の着霜判定制御
前述の如く暖房モードでは、室外熱交換器７は外気から吸熱して低温となるため、室外熱交換器７には外気中の水分が霜となって付着する。この着霜が成長すると室外熱交換器７と通風される外気との間の熱交換が著しく阻害され、空調性能が悪化する。また、過着霜で室外送風機１５等が破損が発生する場合もある。そこで、ヒートポンプコントローラ３２は後述する如く圧縮機２を停止し、或いは、圧縮機２からの高温冷媒を室外熱交換器７に流して室外熱交換器７の除霜を実行するものであるが、その前に室外熱交換器７に着霜しているか否かの判定を行う。
【００８６】
（１１−１）室外熱交換器の着霜判定（その１）
次に、図７を用いてこの室外熱交換器７の着霜判定の一例を説明する。ヒートポンプコントローラ３２は先ず、下記の着霜判定許可条件のうちの（ｉ）が成り立ち、且つ、（ｉｉ）〜（ｉｖ）のうちの何れか一つが成り立つ場合、室外熱交換器７の着霜判定を許可する。
【００８７】
［着霜判定許可条件］
（ｉ）    運転モードが暖房モードであること。
（ｉｉ）  高圧圧力が目標値に収束していること。これは具体的には、例えば目標放熱器圧力ＰＣＯと放熱器圧力ＰＣＩの差（ＰＣＯ−ＰＣＩ）の絶対値が所定値Ａ以下である状態が所定時間ｔ１（ｓｅｃ）継続していることがあげられる。
（ｉｉｉ）暖房モードへの移行後、所定時間ｔ２（ｓｅｃ）が経過していること。
（ｉｖ）  車速変動が所定値以下（車両の加減速度が所定値以下）であること。車両の加減速度とは、例えば現在の車速ＶＳＰとその一秒前の車速ＶＳＰｚの差（ＶＳＰ−ＶＳＰｚ）である。
前記条件（ｉｉ）及び（ｉｉｉ）は運転状態の過渡期に発生する誤判定を排除するための条件である。また、車速変動が大きい場合にも誤判定が発生するため、上記条件（ｉｖ）が加えられている。
【００８８】
上記着霜判定許可条件が成立して着霜判定が許可となった場合、ヒートポンプコントローラ３２は室外熱交換器温度センサ５４から得られる室外熱交換器７の現在の冷媒蒸発温度ＴＸＯと、外気が低湿環境で室外熱交換器７に着霜していない無着霜時における当該室外熱交換器７の冷媒蒸発温度ＴＸＯｂａｓｅとに基づき、室外熱交換器７に着霜しているか否かの判定を行う。この場合のヒートポンプコントローラ３２は、無着霜時における室外熱交換器７の冷媒蒸発温度ＴＸＯｂａｓｅを、次式（ＩＶ）を用いて演算することで推定する。
【００８９】
ＴＸＯｂａｓｅ＝ｆ（Ｔａｍ、ＮＣ、Ｇａ＊ＳＷ、ＶＳＰ、ＰＣＩ）
＝ｋ１×Ｔａｍ＋ｋ２×ＮＣ＋ｋ３×Ｇａ＊ＳＷ＋ｋ４×ＶＳＰ＋ｋ５×ＰＣＩ
・・（ＩＶ）
【００９０】
ここで、式（ＩＶ）のパラメータであるＴａｍは外気温度センサ３３から得られる外気温度、ＮＣは圧縮機２の回転数、Ｇａ＊ＳＷは放熱器４への風量、ＶＳＰは車速センサ５２から得られる車速、ＰＣＩは放熱器圧力であり、ｋ１〜ｋ５は係数で、予め実験により求めておく。
【００９１】
外気温度Ｔａｍは室外熱交換器７の吸込空気温度（環境条件）を示す指標であり、外気温度Ｔａｍ（室外熱交換器７の吸込空気温度）が低くなる程、ＴＸＯｂａｓｅは低くなる傾向となる。従って、係数ｋ１は正の値となる。尚、同様に室外熱交換器７の吸込空気温度を示す指標としては外気温度Ｔａｍに限られない。
また、圧縮機２の回転数ＮＣは冷媒回路Ｒ内の冷媒流量（運転状況）を示す指標であり、回転数ＮＣが高い程（冷媒流量が多い程）、ＴＸＯｂａｓｅは低くなる傾向となる。従って、係数ｋ２は負の値となる。
また、Ｇａ＊ＳＷは放熱器４の通過風量（運転状況）を示す指標であり、Ｇａ＊ＳＷが大きい程（放熱器４の通過風量が大きい程）、ＴＸＯｂａｓｅは低くなる傾向となる。従って、係数ｋ３は負の値となる。尚、放熱器４の通過風量を示す指標としてはこれに限らず、室内送風機２７のブロワ電圧ＢＬＶでもよい。
また、車速ＶＳＰは室外熱交換器７の通過風速（運転状況）を示す指標であり、車速ＶＳＰが低い程（室外熱交換器７の通過風速が低い程）、ＴＸＯｂａｓｅは低くなる傾向となる。従って、係数ｋ４は正の値となる。尚、室外熱交換器７の通過風速を示す指標としてはこれに限らず、室外送風機１５の電圧でもよい。
また、放熱器圧力ＰＣＩは放熱器４の冷媒圧力（運転状況）を示す指標であり、放熱器圧力ＰＣＩが高い程、ＴＸＯｂａｓｅは低くなる傾向となる。従って、係数ｋ５は負の値となる。
尚、この実施例の式（ＩＶ）のパラメータとして外気温度Ｔａｍ、圧縮機２の回転数ＮＣ、放熱器４の通過風量Ｇａ＊ＳＷ、車速ＶＳＰ、放熱器圧力ＰＣＩを用いているが、式（ＩＶ）のパラメータとしては、上記全てに限らず、それらのうちの何れか一つ、若しくは、それらの組み合わせでもよい。
【００９２】
次にコントローラ３２は、式（ＩＶ）に現在の各パラメータの値を代入することで得られる無着霜時における冷媒蒸発温度ＴＸＯｂａｓｅと現在の冷媒蒸発温度ＴＸＯとの差ΔＴＸＯ（ΔＴＸＯ＝ＴＸＯｂａｓｅ−ＴＸＯ）を算出し、冷媒蒸発温度ＴＸＯが無着霜時における冷媒蒸発温度ＴＸＯｂａｓｅより低下して、その差ΔＴＸＯが所定値ｄＴＸＯＦＳＴ（ｄｅｇ）以上となった状態が所定時間ｔ３（ｓｅｃ）以上継続した場合、室外熱交換器７に着霜しているものと判定する。
【００９３】
図７で実線は室外熱交換器７の冷媒蒸発温度ＴＸＯの変化を示し、破線は無着霜時における冷媒蒸発温度ＴＸＯｂａｓｅの変化を示している。無着霜時における冷媒蒸発温度ＴＸＯｂａｓｅの推定に問題が無い場合、起動初期（非着霜）には室外熱交換器７の冷媒蒸発温度ＴＸＯと無着霜時における冷媒蒸発温度ＴＸＯｂａｓｅは略同じ値となる。暖房モードの進行に伴って車室内の温度は暖められ、車両用空気調和装置１の負荷は低下してくるので、前述した冷媒流量や放熱器４の通過風量も低下し、式（ＩＶ）で算出されるＴＸＯｂａｓｅ（図７の破線）は上昇してくる。
【００９４】
一方、室外熱交換器７に着霜が生じると外気との熱交換性能が阻害されるようになるので、冷媒蒸発温度ＴＸＯ（実線）は低下していき、やがてＴＸＯｂａｓｅを下回る。そして冷媒蒸発温度ＴＸＯの低下が更に進行して、その差ΔＴＸＯ（ＴＸＯｂａｓｅ−ＴＸＯ）が所定値ｄＴＸＯＦＳＴ以上となり、その状態が所定時間ｔ３以上継続した場合、ヒートポンプコントローラ３２は着霜と判定して着霜検知フラグをセットする。
【００９５】
（１１−２）室外熱交換器に着霜と判定したときの動作
ヒートポンプコントローラ３２は上述した如く室外熱交換器７に着霜が生じているものと判定した場合、圧縮機２を停止するか、室外熱交換器７の除霜動作を行う（車両の停止中）。この室外熱交換器７の除霜動作では、例えばヒートポンプコントローラ３２は電磁弁４０と電磁弁２１を開き、電磁弁３０及び電磁弁１７を閉じて圧縮機２を運転する。これにより、圧縮機２から吐出された高温高圧のガス冷媒（ホットガス）は、電磁弁４０を経て室外熱交換器７に直接流入する状態となる。これにより、室外熱交換器７は加熱されるので、着霜は融解除去される。室外熱交換器７を出た冷媒は電磁弁２１を経て圧縮機２に吸い込まれる。そして、開始から所定時間が経過した場合、ヒートポンプコントローラ３２は除霜動作を終了して暖房モードに復帰する。
【００９６】
（１１−３）室外熱交換器の着霜判定（その２）
次に、図８を用いて室外熱交換器７の着霜判定の他の例を説明する。前述の着霜判定（その１）で説明した着霜判定許可条件については同様である。そして、この着霜判定許可条件が成立して着霜判定が許可となった場合、この実施例ではヒートポンプコントローラ３２は室外熱交換器圧力センサ５６から得られる室外熱交換器７の現在の冷媒蒸発圧力ＰＸＯと、外気が低湿環境で室外熱交換器７に着霜していない無着霜時における当該室外熱交換器７の冷媒蒸発圧力ＰＸＯｂａｓｅとに基づき、室外熱交換器７に着霜しているか否かの判定を行う。この場合のヒートポンプコントローラ３２は、無着霜時における室外熱交換器７の冷媒蒸発圧力ＰＸＯｂａｓｅを、次式（Ｖ）を用いて演算することで推定する。
【００９７】
ＰＸＯｂａｓｅ＝ｆ（Ｔａｍ、ＮＣ、Ｇａ＊ＳＷ、ＶＳＰ、ＰＣＩ）
＝ｋ６×Ｔａｍ＋ｋ７×ＮＣ＋ｋ８×Ｇａ＊ＳＷ＋ｋ９×ＶＳＰ＋ｋ１０×ＰＣＩ
・・（Ｖ）
【００９８】
尚、式（Ｖ）の各パラメータは式（ＩＶ）と同様であるので説明を省略する。また、各係数ｋ６〜ｋ１０も前述した各係数ｋ１〜ｋ５とそれぞれ同様の傾向（正負）となる。次にヒートポンプコントローラ３２は、式（ｖ）に現在の各パラメータの値を代入することで得られる無着霜時における冷媒蒸発圧力ＰＸＯｂａｓｅと現在の冷媒蒸発圧力ＰＸＯとの差ΔＰＸＯ（ΔＰＸＯ＝ＰＸＯｂａｓｅ−ＰＸＯ）を算出し、冷媒蒸発圧力ＰＸＯが無着霜時における冷媒蒸発圧力ＰＸＯｂａｓｅより低下して、その差ΔＰＸＯが所定値ｄＰＸＯＦＳＴ（ｄｅｇ）以上となった状態が所定時間ｔ４（ｓｅｃ）以上継続した場合、室外熱交換器７に着霜しているものと判定する。
【００９９】
図８で実線は室外熱交換器７の冷媒蒸発圧力ＰＸＯの変化を示し、破線は無着霜時における冷媒蒸発圧力ＰＸＯｂａｓｅの変化を示している。無着霜時における冷媒蒸発圧力ＰＸＯｂａｓｅの推定に問題が無い場合、起動初期（非着霜）には室外熱交換器７の冷媒蒸発圧力ＰＸＯと無着霜時における冷媒蒸発圧力ＰＸＯｂａｓｅは略同じ値となる。暖房モードの進行に伴って車室内の温度は暖められ、車両用空気調和装置１の負荷は低下してくるので、前述した冷媒流量や放熱器４の通過風量も低下し、式（Ｖ）で算出されるＰＸＯｂａｓｅ（図８の破線）は上昇してくる。
【０１００】
一方、室外熱交換器７に着霜が生じると外気との熱交換性能が阻害されるようになるので、冷媒蒸発圧力ＰＸＯ（実線）は低下していき、やがてＰＸＯｂａｓｅを下回る。そして冷媒蒸発圧力ＰＸＯの低下が更に進行して、その差ΔＰＸＯ（ＰＸＯｂａｓｅ−ＰＸＯ）が所定値ｄＰＸＯＦＳＴ以上となり、その状態が所定時間ｔ４以上継続した場合、ヒートポンプコントローラ３２は着霜と判定して室外熱交換器７の前述した着霜時の制御に入る。
【０１０１】
（１１−４）無着霜時における室外熱交換器の冷媒蒸発温度ＴＸＯｂａｓｅの補正
次に、図９〜図１２を参照しながら無着霜時における室外熱交換器７の冷媒蒸発温度ＴＸＯｂａｓｅの演算誤差を補正するオフセット補正制御について説明する。尚、以下は無着霜時における室外熱交換器７の冷媒蒸発温度ＴＸＯｂａｓｅの場合について説明するが、前述した無着霜時における室外熱交換器７の冷媒蒸発圧力ＰＸＯｂａｓｅにおいても同様である。但し、以下の説明中のＬＲＮは起動初期における無着霜時における室外熱交換器７の冷媒蒸発圧力ＰＸＯｂａｓｅの推定値の誤差、差ΔＴＸＯｍａｘとΔＴＸＯｍｉｎとの差違ΔＰＴは、冷媒蒸発圧力ＰＸＯｂａｓｅの場合は差ΔＰＸＯｍａｘとΔＰＸＯｍｉｎとの差違ΔＰＰに置き換えられるものとする。
【０１０２】
前述した如く無着霜時における室外熱交換器７の冷媒蒸発温度ＴＸＯｂａｓｅは、外気温度センサ３３が検出する外気温度Ｔａｍ他に基づき、式（ＩＶ）を用いた演算により推定するものであるが、例えば外気温度センサ３３自体やそれを取り付ける部品等（何れも部品）にバラツキがあり、検出値が本来のものとは異なっていた場合、無着霜時における室外熱交換器７の冷媒蒸発温度ＴＸＯｂａｓｅの推定値に誤差ＬＲＮが生じる。
【０１０３】
例えば、この誤差ＬＲＮが実際の室外熱交換器７の冷媒蒸発温度ＴＸＯよりも無着霜時における室外熱交換器７の冷媒蒸発温度ＴＸＯｂａｓｅが低くなる側の誤差（室外熱交換器７の着霜を検知しない側への誤差）であった場合、暖房モードでの車両用空気調和装置１の起動初期から、図９に示す如く無着霜時における室外熱交換器７の冷媒蒸発温度ＴＸＯｂａｓｅ（破線）が、実際の冷媒蒸発温度ＴＸＯ（実線）よりも誤差ＬＲＮの分低い状態となり、そこから前述した如く室外熱交換器７に着霜が生じ、冷媒蒸発温度ＴＸＯ（実線）が低下していってもＴＸＯはＴＸＯｂａｓｅを下回らなくなり、それらの差ΔＴＸＯ（ＴＸＯｂａｓｅ−ＴＸＯ）は前述した所定値ｄＴＸＯＦＳＴ以上とならなくなり、室外熱交換器７の着霜を検知できなくなってしまう。
【０１０４】
そこで、ヒートポンプコントローラ３２は通常は室外熱交換器７に未だ着霜が生じていない起動初期に、係る誤差ＬＲＮを補正するオフセット補正制御を実行する。図１０はヒートポンプコントローラによる係る誤差ＬＲＮのオフセット補正制御を説明するフローチャートであり、図１１は着霜判定の遷移図である。ヒートポンプコントローラ３２は図１０のステップＳ１で起動（運転開始）から所定時間待機した後、ステップＳ２に進み、無着霜時における室外熱交換器７の冷媒蒸発温度ＴＸＯｂａｓｅを演算して推定し、室外熱交換器温度センサ５４が検出する室外熱交換器７の実際の冷媒蒸発温度ＴＸＯを取り込んでそれらの差ΔＴＸＯ（ＴＸＯｂａｓｅ−ＴＸＯ）を算出する。
【０１０５】
ヒートポンプコントローラ３２はこの差ΔＴＸＯの算出を所定期間ｔ５内（例えば１分）に所定間隔（ｔ５より十分短い間隔、例えば６ｓ）で複数回（例えば５回）実行し、データベースＤＢに履歴として記録していく。そして、ステップＳ３でデータベースＤＢに記録された履歴から、この所定期間ｔ５内の最も大きな差ΔＴＸＯｍａｘと最も小さい差ΔＴＸＯｍｉｎとの差違ΔＰＴ（絶対値）を算出する。そして、ステップＳ４でこの差違ΔＰＴが所定値（例えば０．６ｄｅｇ等）以内となったか否か判断し、所定値以内でなければステップＳ５に進み、予め設定された起動からの所定のタイムアウト期間ｔ６（ｔ５よりも十分長い時間、例えば６分等））が経過したか否か判断し、経過していなければステップＳ２に戻ってこれを繰り返す。
【０１０６】
ステップＳ４で上記差違ΔＰＴが所定値以内となり、運転状態が安定してきたら、ヒートポンプコントローラ３２は差違ΔＰＴが所定値以内となったときの算出元となった複数の差ΔＴＸＯに基づき、これら差ΔＴＸＯの平均値を室外熱交換器７の実際の冷媒蒸発温度ＴＸＯと無着霜時における室外熱交換器７の冷媒蒸発温度ＴＸＯｂａｓｅ（推定値）との間の誤差ＬＲＮとして決定し、ステップＳ７に進む。
【０１０７】
このステップＳ７では誤差ＬＲＮが０（零）より小さいか否か判断する。誤差ＬＲＮは本来ΔＴＸＯ（ＴＸＯｂａｓｅ−ＴＸＯ）に基づいた値であるから、誤差ＬＲＮが０より小さいということは、実際の室外熱交換器７の冷媒蒸発温度ＴＸＯよりも無着霜時における室外熱交換器７の冷媒蒸発温度ＴＸＯｂａｓｅが低くなる側の誤差（室外熱交換器７の着霜を検知しない側への誤差）であることになる。
【０１０８】
そして、ステップＳ７で誤差ＬＲＮが０より小さかった場合、ヒートポンプコントローラ３２は無着霜時における室外熱交換器７の冷媒蒸発温度ＴＸＯｂａｓｅの推定値に着霜を検知しない側への誤差があるものと判断し、ステップＳ９に進んで誤差ＬＲＮ＝０−ΔＴＸＯ（上記平均値）とし、無着霜時における室外熱交換器７の冷媒蒸発温度ＴＸＯｂａｓｅの推定値を補正する。このとき誤差ＬＲＮ（＝ΔＴＸＯの平均値）は元々負の値であるので、ステップＳ９で誤差ＬＲＮの値は正の値となり、誤差ＬＲＮの分、無着霜時における室外熱交換器７の冷媒蒸発温度ＴＸＯｂａｓｅは引き上げられ、誤差ＬＲＮは打ち消され、或いは、極めて小さくなるように減少し、実際の冷媒蒸発温度ＴＸＯと同一若しくは略同等となる。
【０１０９】
この様子を図１２に示す。尚、図中破線Ｌ１はオフセット補正を行った場合の無着霜時における室外熱交換器７の冷媒蒸発温度ＴＸＯｂａｓｅ、破線Ｌ２は補正を行わなかった場合の無着霜時における室外熱交換器７の冷媒蒸発温度ＴＸＯｂａｓｅ（図９と同様）である。このように無着霜時における室外熱交換器７の冷媒蒸発温度ＴＸＯｂａｓｅを補正することで、誤差ＬＲＮ（オフセット補正量）を決定し、それに基づいて補正した後は、図７と同様の状態となり、差ΔＴＸＯと前述した所定値ｄＴＸＯＦＳＴ、及び、所定時間ｔ３に基づいて室外熱交換器７の着霜を支障無く検知できるようになることが分かる。
【０１１０】
尚、ヒートポンプコントローラ３２はステップＳ７で誤差ＬＲＮが０以上であった場合はステップＳ８に進み、ＬＲＮ＝０として無着霜時における室外熱交換器７の冷媒蒸発温度ＴＸＯｂａｓｅのオフセット補正を行わない（オフセット補正無し）。誤差ＬＲＮが０以上であるということは、室外熱交換器７に起動初期から着霜があり、冷媒蒸発温度ＴＸＯが起動初期から無着霜時における室外熱交換器７の冷媒蒸発温度ＴＸＯｂａｓｅより低くなっていると考えられるからである。
【０１１１】
また、起動初期から所定のタイムアウト期間ｔ６内に前述した差違ΔＰＴが所定値以内とならず、ステップＳ５でタイムアウトｔ６期間が経過してしまった場合、ヒートポンプコントローラ３２はステップＳ６に進んでＬＲＮ＝０とし、同様に無着霜時における室外熱交換器７の冷媒蒸発温度ＴＸＯｂａｓｅのオフセット補正を行わない（オフセット補正無し）。即ち、起動初期とは暖房モードの起動（運転開始）からこのタイムアウト期間ｔ６が経過するまでの期間に一致又は略一致することになる。
【０１１２】
図１１は係るヒートポンプコントローラ３２による室外熱交換器７の着霜判定の遷移図である。図中ＳＳ１はオフセット補正量の算出前の状態、ＳＳ２はオフセット補正量の算出中の状態、ＳＳ３はオフセット補正量の算出後の状態をそれぞれ示し、暖房モードの開始時にＳＳ１からＳＳ２に遷移して着霜判定の許可後、オフセット補正量を算出し、オフセット補正量の決定或いはタイムアウトでＳＳ２からＳＳ３に遷移する。そして、暖房モードの停止でＳＳ２、或いは、ＳＳ３からＳＳ１に戻る（着霜判定不許可）。即ち、暖房モードの起動（開始）毎にヒートポンプコントローラ３２は毎回オフセット補正量を算出することになる。
【０１１３】
以上の如くヒートポンプコントローラ３２は環境条件、及び／又は、運転状況を示す指標に基づいて無着霜時における室外熱交換器７の冷媒蒸発温度ＴＸＯｂａｓｅ、又は、無着霜時における室外熱交換器７の冷媒蒸発圧力ＰＸＯｂａｓｅを推定すると共に、暖房モードにおいて室外熱交換器７の冷媒蒸発温度ＴＸＯと、無着霜時における室外熱交換器７の冷媒蒸発温度ＴＸＯｂａｓｅとに基づき、又は、室外熱交換器７の冷媒蒸発圧力ＰＸＯと、無着霜時における室外熱交換器７の冷媒蒸発圧力ＰＸＯｂａｓｅとに基づき、室外熱交換器７への着霜を判定する。そして、起動初期において、無着霜時における室外熱交換器７の冷媒蒸発温度ＴＸＯｂａｓｅと室外熱交換器７の冷媒蒸発温度ＴＸＯとの間に、又は、無着霜時における室外熱交換器７の冷媒蒸発圧力ＰＸＯｂａｓｅと室外熱交換器７の冷媒蒸発圧力ＰＸＯとの間に、着霜を検知しない側への誤差ＬＲＮがある場合、この誤差ＬＲＮを減少させ、若しくは、打ち消す方向に無着霜時における室外熱交換器７の冷媒蒸発温度ＴＸＯｂａｓｅ、又は、無着霜時における室外熱交換器７の冷媒蒸発圧力ＰＸＯｂａｓｅを補正する。これにより、温度センサ等の部品のバラツキにより、推定された無着霜時における室外熱交換器７の冷媒蒸発温度ＴＸＯｂａｓｅ、又は、無着霜時における室外熱交換器７の冷媒蒸発圧力ＰＸＯｂａｓｅと実際の室外熱交換器７の冷媒蒸発温度ＴＸＯ、又は、冷媒蒸発圧力ＰＸＯとの間に誤差ＬＲＮが生じた場合にも、これを減少、若しくは、打ち消して室外熱交換器７の着霜の進行を的確に検知することができるようになる。
【０１１４】
そして、ヒートポンプコントローラ３２が、室外熱交換器７に着霜したものと判定した場合、圧縮機２を停止し、若しくは、室外熱交換器７の着霜を除去するための前述した除霜動作を実行することにより、適切に機器の保護や室外熱交換器７の除霜を行い、車室内の快適性を担保することができるようになる。
【０１１５】
この場合、ヒートポンプコントローラ３２は、室外熱交換器７の冷媒蒸発温度ＴＸＯが無着霜時における当該室外熱交換器７の冷媒蒸発温度ＴＸＯｂａｓｅより低下し、その差ΔＴＸＯが所定値以上となった状態が所定時間（ｔ３）継続した場合、又は、室外熱交換器７の冷媒蒸発圧力ＰＸＯが無着霜時における当該室外熱交換器７の冷媒蒸発圧力ＰＸＯｂａｓｅより低下し、その差ΔＰＸＯが所定値以上となった状態が所定時間（ｔ４）継続した場合、室外熱交換器７に着霜したものと判定するので、外乱等の影響による誤判定を排除し、室外熱交換器７の着霜の進行を精度良く検知することができるようになる。
【０１１６】
特に、ヒートポンプコントローラ３２は起動初期において、差ΔＴＸＯ、又は、差ΔＰＸＯを所定期間ｔ５内に複数回算出し、当該所定期間ｔ５内の最も大きな差ΔＴＸＯｍａｘと最も小さい差ΔＴＸＯｍｉｎとの差違ΔＰＴ、又は、所定期間ｔ５内の最も大きな差ΔＰＸＯｍａｘと最も小さい差ΔＰＸＯｍｉｎとの差違ΔＰＰが所定値以内となったか否か判断し、所定値以内になった場合の当該所定期間ｔ５内の複数の差ΔＴＸＯ、又は、当該所定期間ｔ５内の複数の差ΔＰＸＯに基づいて誤差ＬＲＮを決定する。これにより、起動初期における不安定な運転状況での誤った誤差ＬＲＮの算出を排除し、安定状況下での誤差ＬＲＮの決定を実現することができるようになる。
【０１１７】
但し、ヒートポンプコントローラ３２は所定のタイムアウト期間内に差違ΔＰＴ、又は、差違ΔＰＰが所定値以内とならなかった場合、誤差ＬＲＮによる無着霜時における室外熱交換器７の冷媒蒸発温度ＴＸＯｂａｓｅの補正、又は、誤差ＬＲＮによる無着霜時における室外熱交換器７の冷媒蒸発圧力ＰＸＯｂａｓｅの補正を行わないので、不必要に長期間、誤差ＬＲＮが決定できずに室外熱交換器７の着霜判定が行われなくなる不都合も回避することができるようになる。
【実施例２】
【０１１８】
次に、図１３は本発明を適用した他の実施例の車両用空気調和装置１の構成図を示している。尚、この図において図１と同一符号で示すものは同一若しくは同様の機能を奏するものである。この実施例の場合、過冷却部１６の出口は逆止弁１８に接続され、この逆止弁１８の出口が冷媒配管１３Ｂに接続されている。尚、逆止弁１８は冷媒配管１３Ｂ（室内膨張弁８）側が順方向とされている。
【０１１９】
また、放熱器４の出口側の冷媒配管１３Ｅは室外膨張弁６の手前で分岐しており、この分岐した冷媒配管（以下、第２のバイパス配管と称する）１３Ｆは電磁弁２２（除湿用）を介して逆止弁１８の下流側の冷媒配管１３Ｂに連通接続されている。更に、吸熱器９の出口側の冷媒配管１３Ｃには、内部熱交換器１９の冷媒下流側であって、冷媒配管１３Ｄとの合流点より冷媒上流側に蒸発圧力調整弁７０が接続されている。そして、これら電磁弁２２や蒸発圧力調整弁７０もヒートポンプコントローラ３２の出力に接続されている。尚、前述の実施例の図１中のバイパス配管３５、電磁弁３０及び電磁弁４０から成るバイパス装置４５は設けられていない。その他は図１と同様であるので説明を省略する。
【０１２０】
以上の構成で、この実施例の車両用空気調和装置１の動作を説明する。ヒートポンプコントローラ３２はこの実施例では、暖房モード、除湿暖房モード、内部サイクルモード、除湿冷房モード、冷房モード及び補助ヒータ単独モードの各運転モードを切り換えて実行する（ＭＡＸ冷房モードはこの実施例では存在しない）。尚、暖房モード、除湿冷房モード及び冷房モードが選択されたときの動作及び冷媒の流れと、補助ヒータ単独モードは前述の実施例（実施例１）の場合と同様であるので説明を省略する。但し、この実施例（実施例２）ではこれら暖房モード、除湿冷房モード及び冷房モードにおいては電磁弁２２を閉じるものとする。
【０１２１】
（１２）図１３の車両用空気調和装置１の除湿暖房モード
他方、除湿暖房モードが選択された場合、この実施例（実施例２）ではヒートポンプコントローラ３２は電磁弁２１（暖房用）を開放し、電磁弁１７（冷房用）を閉じる。また、電磁弁２２（除湿用）を開放する。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【０１２２】
これにより、圧縮機２から吐出された高温高圧のガス冷媒は冷媒配管１３Ｇから放熱器４に流入する。放熱器４には暖房用熱交換通路３Ａに流入した空気流通路３内の空気が通風されるので、空気流通路３内の空気は放熱器４内の高温冷媒により加熱され、一方、放熱器４内の冷媒は空気に熱を奪われて冷却され、凝縮液化する。
【０１２３】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ、電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。
【０１２４】
また、放熱器４を経て冷媒配管１３Ｅを流れる凝縮冷媒の一部は分流され、電磁弁２２を経て第２のバイパス配管１３Ｆ及び冷媒配管１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１２５】
吸熱器９で蒸発した冷媒は、内部熱交換器１９、蒸発圧力調整弁７０を順次経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【０１２６】
空調コントローラ２０は、目標吹出温度ＴＡＯから算出される目標ヒータ温度ＴＣＯ（放熱器出口温度ＴＣＩの目標値）をヒートポンプコントローラ３２に送信する。ヒートポンプコントローラ３２は、この目標ヒータ温度ＴＣＯから目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。また、ヒートポンプコントローラ３２は、吸熱器温度センサ４８が検出する吸熱器９の温度Ｔｅと、空調コントローラ２０から送信された目標吸熱器温度ＴＥＯに基づいて室外膨張弁６の弁開度を制御する。また、ヒートポンプコントローラ３２は吸熱器温度センサ４８が検出する吸熱器９の温度Ｔｅに基づき、蒸発圧力調整弁７０を開（流路を拡大する）／閉（少許冷媒が流れる）して吸熱器９の温度が下がり過ぎて凍結する不都合を防止する。
【０１２７】
（１３）図１３の車両用空気調和装置１の内部サイクルモード
また、内部サイクルモードでは、ヒートポンプコントローラ３２は上記除湿暖房モードの状態において室外膨張弁６を全閉とする（全閉位置）と共に、電磁弁２１を閉じる。この室外膨張弁６と電磁弁２１が閉じられることにより、室外熱交換器７への冷媒の流入、及び、室外熱交換器７からの冷媒の流出は阻止されることになるので、放熱器４を経て冷媒配管１３Ｅを流れる凝縮冷媒は電磁弁２２を経て第２のバイパス配管１３Ｆに全て流れるようになる。そして、第２のバイパス配管１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１２８】
吸熱器９で蒸発した冷媒は、内部熱交換器１９、蒸発圧力調整弁７０を順次経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより、車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房モードに比較すると除湿能力は高いが、暖房能力は低くなる。
【０１２９】
空調コントローラ２０は目標吹出温度ＴＡＯから算出される目標ヒータ温度ＴＣＯ（放熱器出口温度ＴＣＩの目標値）をヒートポンプコントローラ３２に送信する。ヒートポンプコントローラ３２は送信された目標ヒータ温度ＴＣＯから目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。
【０１３０】
（１４）図１３の実施例での室外熱交換器の着霜判定制御
そして、この実施例においても前述の（１１）と同様に室外熱交換器７の着霜判定を行い、無着霜時における室外熱交換器７の冷媒蒸発温度ＴＸＯｂａｓｅや無着霜時における室外熱交換器７の冷媒蒸発圧力ＰＸＯｂａｓｅの誤差ＬＲＮによるオフセット補正を行うものであるが、この実施例の場合には除湿暖房モード（内部サイクルモードも含む）でも冷媒が室外熱交換器７で蒸発し、着霜が生じるので、これらの運転モードでも暖房モードと同様に着霜判定と誤差ＬＲＮのオフセット補正を行う。それにより、同様に室外熱交換器７の着霜の進行を的確に検知することができるようになるものである。
【０１３１】
尚、各実施例で示した数値等はそれに限られるものでは無く、適用する装置に応じて適宜設定すべきものである。また、補助加熱装置は実施例で示した補助ヒータ２３に限られるものでは無く、ヒータで加熱された熱媒体を循環させて空気流通路３内の空気を加熱する熱媒体循環回路や、エンジンで加熱されたラジエター水を循環するヒータコア等を利用してもよい。
【符号の説明】
【０１３２】
１  車両用空気調和装置
２  圧縮機
３  空気流通路
４  放熱器
６  室外膨張弁
７  室外熱交換器
８  室内膨張弁
９  吸熱器
１０  ＨＶＡＣユニット
１１  制御装置
２０  空調コントローラ
２３  補助ヒータ（補助加熱装置）
２７  室内送風機（ブロワファン）
２８  エアミックスダンパ
３２  ヒートポンプコントローラ
６５  車両通信バス
Ｒ  冷媒回路
【図１】
2018079721.tif 000003
【図２】
2018079721.tif 000004
【図３】
2018079721.tif 000005
【図４】
2018079721.tif 000006
【図５】
2018079721.tif 000007
【図６】
2018079721.tif 000008
【図７】
2018079721.tif 000009
【図８】
2018079721.tif 000010
【図９】
2018079721.tif 000011
【図１０】
2018079721.tif 000012
【図１１】
2018079721.tif 000013
【図１２】
2018079721.tif 000014
【図１３】
2018079721.tif 000015